(57)【要約】【課題】矢板間の止水を確実に行うことができる矢板継手部の止水構造及び矢板継手部の止水方法を実現する。【解決手段】鋼矢板１０を連結した箇所の矢板継手部１２の止水構造が、一方の鋼矢板１０の継手１の鈎状部１ａと矢板本体３の間に差し入れられた他方の鋼矢板１０の継手２の鈎状部２ａを第１の継手１の鈎状部１ａに向けて押圧するボルト２０と、そのボルト２０が第２の継手２の鈎状部２ａを第１の継手１の鈎状部１ａと矢板本体３に当接させることで形成した密閉空間Ｒと、その密閉空間Ｒに充填された止水材５と、を備えるようにした。【選択図】図２
2014037699.tif 000002
【特許請求の範囲】
【請求項１】
一の鋼矢板の継手と他の鋼矢板の継手を嵌め合わせた矢板継手部の止水構造であって、
前記鋼矢板は矢板本体の両側に一対の継手を有し、前記継手はそれぞれ前記矢板本体に向けて屈曲した鈎状部を有しており、
前記矢板継手部には、一の鋼矢板の継手の鈎状部と矢板本体の間に差し入れられた他の鋼矢板の継手の鈎状部を、一の鋼矢板の継手の鈎状部に向けて押圧し、他の鋼矢板の継手の鈎状部を一の鋼矢板の継手の鈎状部と矢板本体に当接させる押圧部材と、
他の鋼矢板の継手の鈎状部を、一の鋼矢板の継手の鈎状部と矢板本体に当接させて形成した空間に充填された止水材が設けられていることを特徴とする矢板継手部の止水構造。
【請求項２】
前記一の鋼矢板の継手には、前記空間に通じる注入口が設けられており、
前記止水材は、前記注入口から注入されたことを特徴とする請求項１に記載の矢板継手部の止水構造。
【請求項３】
前記押圧部材には、前記矢板継手部の外側と前記空間を繋ぐ貫通口が形成されており、
前記止水材は、前記貫通口から注入されたことを特徴とする請求項１又は２に記載の矢板継手部の止水構造。
【請求項４】
前記押圧部材は、前記鋼矢板の長手方向に沿って複数設けられていることを特徴とする請求項１〜３の何れか一項に記載の矢板継手部の止水構造。
【請求項５】
一の鋼矢板の継手と他の鋼矢板の継手を嵌め合わせた矢板継手部の止水方法であって、
前記鋼矢板は矢板本体の両側に一対の継手を有し、前記継手はそれぞれ前記矢板本体に向けて屈曲した鈎状部を有しており、
前記矢板継手部における、一の鋼矢板の継手の鈎状部と矢板本体の間に差し入れた他の鋼矢板の継手の鈎状部を、一の鋼矢板の継手の鈎状部に向けて押圧して、他の鋼矢板の継手の鈎状部を一の鋼矢板の継手の鈎状部と矢板本体に当接させて形成した空間に、止水材を充填させることを特徴とする矢板継手部の止水方法。
【請求項６】
前記空間に通じるように一の鋼矢板の継手に形成された注入口から、前記止水材を注入することを特徴とする請求項５に記載の矢板継手部の止水方法。
【請求項７】
前記他の鋼矢板の継手の鈎状部を、前記一の鋼矢板の継手の鈎状部に向けて押圧する押圧部材を用いて、他の鋼矢板の継手の鈎状部を一の鋼矢板の継手の鈎状部と矢板本体に当接させ、
前記押圧部材に設けられた貫通口から前記空間に前記止水材を注入することを特徴とする請求項５又は６に記載の矢板継手部の止水方法。
【請求項８】
前記空間内を洗浄した後に、前記止水材を注入することを特徴とする請求項５〜７の何れか一項に記載の矢板継手部の止水方法。
【発明の詳細な説明】
【技術分野】
【０００１】
本発明は、矢板継手部の止水構造及び矢板継手部の止水方法に関する。
【背景技術】
【０００２】
従来、一対の継手を有する鋼矢板を連設して土留壁などを構築する際、隣接する鋼矢板の継手同士を嵌め合わせる。その継手同士を嵌め合わせた継手部１００には、図１０に示すように隙間がある。継手部１００にこのような隙間があることで、継手の嵌め合わせをスムーズに行うことが可能になっているが、隙間を埋める処理を施さなければ十分な止水性能が得られない。
これまでの一般的な止水処理としては、鋼矢板打設前に吸水性樹脂を含んだ塗料を継手に塗布しておき、打設後に周囲の水分を吸収した樹脂が膨張して、継手部の隙間が樹脂で満たされることによって止水性を高める方法や、鋼矢板の打設後に継手部の隙間にグラウトなどの止水材を注入する方法がある。
【０００３】
また、矢板の継手同士を嵌め合わせた継手部に、グラウトを注入するための空間を形成することができる止水用矢板が知られており、その空間にグラウトを注入することで止水性を向上させる技術が開示されている（例えば、特許文献１参照。）。
【先行技術文献】
【特許文献】
【０００４】
【特許文献１】特開平１−２８０１２２号公報
【発明の概要】
【発明が解決しようとする課題】
【０００５】
しかしながら、上記従来技術の場合、予め継手に吸水性樹脂を含んだ塗料を塗布することでは、鋼矢板の打設時に樹脂塗膜が損傷したり脱落したりしてしまい、継手部の隙間を膨張した樹脂で十分に満たすことができないことがあった。また、継手部の隙間は閉じられた空間ではないので、止水材を注入しても漏れが生じてしまい、継手部の隙間を止水材で満たすことができないことがあった。
【０００６】
また、上記特許文献１の場合、継手部に形成されたグラウト注入空間にグラウトを注入する際、矢板上端側の開口から注入がなされるため、矢板の下端までグラウトを充填できていないことが懸念される。また、グラウト注入空間を形成するために矢板（継手）の形状が大型化することで、矢板を打設する際の抵抗が増大することなどにより、施工効率の悪化が懸念される。
【０００７】
本発明の目的は、矢板間の止水を確実に行うことができる矢板継手部の止水構造及び矢板継手部の止水方法を提供することである。
【課題を解決するための手段】
【０００８】
以上の課題を解決するため、請求項１に記載の発明は、
一の鋼矢板の継手と他の鋼矢板の継手を嵌め合わせた矢板継手部の止水構造であって、
前記鋼矢板は矢板本体の両側に一対の継手を有し、前記継手はそれぞれ前記矢板本体に向けて屈曲した鈎状部を有しており、
前記矢板継手部には、一の鋼矢板の継手の鈎状部と矢板本体の間に差し入れられた他の鋼矢板の継手の鈎状部を、一の鋼矢板の継手の鈎状部に向けて押圧し、他の鋼矢板の継手の鈎状部を一の鋼矢板の継手の鈎状部と矢板本体に当接させる押圧部材と、
他の鋼矢板の継手の鈎状部を、一の鋼矢板の継手の鈎状部と矢板本体に当接させて形成した空間に充填された止水材が設けられていることを特徴とする。
【０００９】
請求項２に記載の発明は、請求項１に記載の矢板継手部の止水構造において、
前記一の鋼矢板の継手には、前記空間に通じる注入口が設けられており、
前記止水材は、前記注入口から注入されたことを特徴とする。
【００１０】
請求項３に記載の発明は、請求項１又は２に記載の矢板継手部の止水構造において、
前記押圧部材には、前記矢板継手部の外側と前記空間を繋ぐ貫通口が形成されており、
前記止水材は、前記貫通口から注入されたことを特徴とする。
【００１１】
請求項４に記載の発明は、請求項１〜３の何れか一項に記載の矢板継手部の止水構造において、
前記押圧部材は、前記鋼矢板の長手方向に沿って複数設けられていることを特徴とする。
【００１２】
請求項５に記載の発明は、
一の鋼矢板の継手と他の鋼矢板の継手を嵌め合わせた矢板継手部の止水方法であって、
前記鋼矢板は矢板本体の両側に一対の継手を有し、前記継手はそれぞれ前記矢板本体に向けて屈曲した鈎状部を有しており、
前記矢板継手部における、一の鋼矢板の継手の鈎状部と矢板本体の間に差し入れた他の鋼矢板の継手の鈎状部を、一の鋼矢板の継手の鈎状部に向けて押圧して、他の鋼矢板の継手の鈎状部を一の鋼矢板の継手の鈎状部と矢板本体に当接させて形成した空間に、止水材を充填させることを特徴とする。
【００１３】
請求項６に記載の発明は、請求項５に記載の矢板継手部の止水方法において、
前記空間に通じるように一の鋼矢板の継手に形成された注入口から、前記止水材を注入することを特徴とする。
【００１４】
請求項７に記載の発明は、請求項５又は６に記載の矢板継手部の止水方法において、
前記他の鋼矢板の継手の鈎状部を、前記一の鋼矢板の継手の鈎状部に向けて押圧する押圧部材を用いて、他の鋼矢板の継手の鈎状部を一の鋼矢板の継手の鈎状部と矢板本体に当接させ、
前記押圧部材に設けられた貫通口から前記空間に前記止水材を注入することを特徴とする。
【００１５】
請求項８に記載の発明は、請求項５〜７の何れか一項に記載の矢板継手部の止水方法において、
前記空間内を洗浄した後に、前記止水材を注入することを特徴とする。
【発明の効果】
【００１６】
本発明によれば、矢板間の止水を確実に行うことができる矢板継手部が得られる。
【図面の簡単な説明】
【００１７】
【図１】鋼矢板の端面を示す上面図である。
【図２】鋼矢板を連結した矢板継手部を示す斜視図である。
【図３】図２のIII−III線における断面図であり、ボルト部分を示している。
【図４】図２のIV−IV線における断面図であり、注入口（ノズル）部分を示している。
【図５】矢板継手部の止水構造であり、密閉空間に止水材を充填した状態を示す断面図である。
【図６】ボルトの変形例を示す説明図である。
【図７】矢板継手部の止水構造の変形例であり、ボルト部分を示す断面図である。
【図８】矢板継手部の止水構造の変形例であり、注入口（ノズル）部分を示す断面図である。
【図９】矢板継手部の止水構造の変形例であり、密閉空間に止水材を充填した状態を示す断面図である。
【図１０】従来の継手部を示す断面図である。
【発明を実施するための形態】
【００１８】
以下、図面を参照して、本発明に係る矢板継手部の止水構造および止水方法の実施形態について詳細に説明する。
【００１９】
鋼矢板１０は、図１に示すように、例えば、一対の継手を有するハット型の鋼矢板であって、矢板本体３の両側に第１の継手１と第２の継手２がそれぞれ設けられている。
第１の継手１は、先端側を矢板本体３に向けて屈曲した鈎状部１ａを有しており、第２の継手２は、先端側を矢板本体３に向けて屈曲した鈎状部２ａを有している。また、矢板本体３における第１の継手１の近傍には、突起部３ａが設けられている。
そして、第１の継手１の鈎状部１ａと矢板本体３（突起部３ａ）の間の嵌入溝に、第２の継手２の鈎状部２ａを差し入れるように嵌め合わせることや、第２の継手２の鈎状部２ａと矢板本体３の間の嵌入溝に、第１の継手１の鈎状部１ａを差し入れるように嵌め合わせることで、鋼矢板１０同士が連結されるようになっている。
こうして隣接する鋼矢板１０が連結された部分であって、第１の継手１と第２の継手２が嵌め合わされた部分が矢板継手部１２となる（図２参照）。
なお、鈎状部は継手のなかでも比較的厚く形成された部分であり、その鈎状部の根元に相当する継手の屈曲部分は、継手のなかでも比較的薄く形成された部分となっている。また、継手の鈎状部と矢板本体の間の嵌入溝は、溝の奥側の幅よりも開口部分の幅が狭くなっている。
【００２０】
矢板継手部１２には、図２、図３に示すように、一方の鋼矢板１０の継手１の鈎状部１ａと矢板本体３の間に差し入れられた他方の鋼矢板１０の継手２の鈎状部２ａを、一方の鋼矢板１０の継手１の鈎状部１ａに向けて押圧する押圧部材としてのボルト２０が、第１の継手１に螺入されて設けられている。
このボルト２０が第２の継手２の鈎状部２ａを押圧して、第２の継手２の鈎状部２ａを第１の継手１の鈎状部１ａと矢板本体３（突起部３ａ）に当接させて密着させることで、第１の継手１の内面と鈎状部２ａの間に密閉空間Ｒを形成することができる。
ここで、第１の継手１の鈎状部１ａと矢板本体３（突起部３ａ）の間の嵌入溝の形状が、溝の奥側よりも第２の継手２の鈎状部２ａを差し入れる差し込み口が狭くなっているため、その嵌入溝に差し込まれた第２の継手２の鈎状部２ａを、差し込み口側の第１の継手１の鈎状部１ａに向けてボルト２０で押圧することで、第２の継手２の鈎状部２ａを第１の継手１の鈎状部１ａと矢板本体３に当接させることができ、第１の継手１と鈎状部２ａの間に密閉空間Ｒを形成することが可能になっている。
なお、ボルト２０は、鋼矢板１０の長手方向に沿って複数設けられていることが好ましい。
【００２１】
さらに、図２、図４に示すように、矢板継手部１２における一方の鋼矢板１０の継手１には、ボルト２０が第２の継手２の鈎状部２ａを第１の継手１の鈎状部１ａに向けて押圧したことで形成された密閉空間Ｒに通じる注入口１ｂが設けられている。この注入口１ｂにノズル３０を取り付けるなどして、第１の継手１と第２の継手２の間の密閉空間Ｒに止水材などを注入することが可能になっている。
【００２２】
そして、図５に示すように、鋼矢板１０の継手１の注入口１ｂに取り付けられたノズル３０の貫通口３０ａを通じて所定の止水材５を注入し、第１の継手１と第２の継手２の間の密閉空間Ｒを満たすように止水材５を充填することができる。
止水材５には、当初流動性を有し、所定時間経過後に固化する硬化性材料である各種高分子樹脂材料やグラウトなどを用いることができる。
なお、注入口１ｂを設ける位置や数は任意であり、鋼矢板１０の長さや注入する止水材５の流動性に応じて注入口１ｂの位置や数を適宜調整し、密閉空間Ｒを止水材５で満たすようにすればよい。
こうして第１の継手１と第２の継手２の間の密閉空間Ｒに充填された止水材５が固化することで、第１の継手１と第２の継手２の間の僅かな隙間も埋まるので、継手間の止水を確実に行うことができる。
なお、止水材５を注入する前に、ノズル３０の貫通口３０ａを通じて密閉空間Ｒに高圧水を噴射するなどして、密閉空間Ｒ内を洗浄した後に、止水材５を注入することが好ましい。密閉空間Ｒ内を洗浄して異物などを除去した後に止水材５を注入するようにすれば、密閉空間Ｒの隅々まで止水材５を行き渡らせ易くなり、密閉空間Ｒに止水材５を好適に充填することができる。
【００２３】
上述したように、鋼矢板１０の継手を連結した箇所の止水性を高める矢板継手部１２の止水方法は、下記の手順（１）〜（３）に従ってなされる止水方法である。
（１）隣接する鋼矢板１０において、一方の鋼矢板１０の継手１の鈎状部１ａと矢板本体３の間の嵌入溝に、他方の鋼矢板１０の継手２の鈎状部２ａを差し入れるように嵌め合わせる。
（２）第１の継手１に螺入されているボルト２０を締め付けて、嵌入溝内の第２の継手２の鈎状部２ａを第１の継手１の鈎状部１ａに向けて押圧し、第２の継手２の鈎状部２ａを第１の継手１の鈎状部１ａと矢板本体３に当接させて、第１の継手１の内面と鈎状部２ａの間に密閉空間Ｒを形成する。
（３）ボルト２０の締め付けによって形成した密閉空間Ｒ内に止水材５を充填し、止水材５を固化させる。
【００２４】
このような矢板継手部の止水方法によって得られる矢板継手部１２の止水構造は、一方の鋼矢板１０の継手１の鈎状部１ａと矢板本体３の間に差し入れられた他方の鋼矢板１０の継手２の鈎状部２ａを第１の継手１の鈎状部１ａに向けて押圧するボルト２０と、そのボルト２０が第２の継手２の鈎状部２ａを第１の継手１の鈎状部１ａと矢板本体３に当接させることで形成した密閉空間Ｒと、その密閉空間Ｒに充填された止水材５と、を備えている。
そして、ボルト２０が第２の継手２の鈎状部２ａを、第１の継手１の鈎状部１ａに向けて押圧することで、第２の継手２の鈎状部２ａを第１の継手１の鈎状部１ａと矢板本体３に密着させて密閉空間Ｒを形成するとともに、そのボルト２０による押圧が密閉空間Ｒをより大きく広げるように作用しているので、その密閉空間Ｒに止水材５を注入し易く、注入された止水材５は密閉空間Ｒから漏れないようになっている。
【００２５】
このように、この止水構造における止水材５を充填する密閉空間Ｒは、第２の継手２の鈎状部２ａが嵌入溝の差し込み口を塞ぐように密着して形成された空間であり、その密閉空間Ｒに充填された止水材５が漏れ出すことはないので、継手間の止水を行うことが可能になっている。
また、この止水構造において密閉空間Ｒに止水材５を注入するための注入口１ｂを任意の位置に設けることができるので、例えば、密閉空間Ｒにおける鋼矢板１０の下端側など、止水材５が流れ込み難い箇所にも注入口１ｂを設けることで、密閉空間Ｒの隅々まで止水材５を行き渡らせて満たすことができる。
【００２６】
以上のように、本発明に係る矢板継手部の止水構造、矢板継手部の止水方法によれば、第１の継手１の鈎状部１ａと矢板本体３の間に差し入れられた第２の継手２の鈎状部２ａを、ボルト２０によって第１の継手１の鈎状部１ａに向けて押圧することで、第１の継手１と第２の継手２の間に密閉空間Ｒを形成でき、その密閉空間Ｒに止水材５を充填させることで第１の継手１と第２の継手２の間の止水を行うことができ、鋼矢板１０間の止水を確実に行うことができる。
【００２７】
なお、本発明は上記実施形態に限られるものではない。
【００２８】
例えば、図６に示すように、嵌入溝に差し込まれた第２の継手２の鈎状部２ａを、第１の継手１の鈎状部１ａに向けて押圧する押圧部材として、貫通口２２ａが形成されているボルト２２を用いるようにしてもよい。
このように、押圧部材であるボルト２２に、矢板継手部１２の外側と密閉空間Ｒを繋ぐ貫通口２２ａが形成されていれば、その貫通口２２ａから密閉空間Ｒへ止水材５を注入することが可能になるので、鋼矢板１０の継手１に注入口１ｂを形成することを省くことができる。
なお、ボルト２２の貫通口２２ａを通じて密閉空間Ｒに高圧水を噴射するなどして、密閉空間Ｒ内を洗浄することもできる。
【００２９】
また、図７に示すように、鋼矢板１０の第２の継手２の鈎状部２ａと矢板本体３の間に差し入れられた鋼矢板１０の第１の継手１の鈎状部１ａを第２の継手２の鈎状部２ａに向けて押圧するボルト２０を備える構成の矢板継手部１２の止水構造であってもよい。
この場合、ボルト２０が第１の継手１の鈎状部１ａを押圧して、第１の継手１の鈎状部１ａを第２の継手２の鈎状部２ａと矢板本体３に当接させて密着させることで、第２の継手２の内面と鈎状部１ａの間に密閉空間Ｒを形成する。
そして、図８に示すように、第２の継手２に密閉空間Ｒに通じる注入口２ｂを設けて、その注入口２ｂにノズル３０を取り付けるようにする。
こうして、図９に示すように、ノズル３０を通じて第１の継手１と第２の継手２の間の密閉空間Ｒに止水材５を注入して充填することで、鋼矢板１０間の止水を確実に行うことができる止水構造を得ることができる。
【００３０】
また、本発明に係る矢板継手部の止水構造、矢板継手部の止水方法は、新たに構築する土留壁などにおける矢板継手部の止水に適用することに限らず、既設の鋼矢板列における矢板継手部の止水に適用することもできる。
例えば既設の土留壁であって、複数の鋼矢板１０を連結してなる既設の鋼矢板列において、矢板継手部１２からの水漏れが確認された際、継手１に穿孔を施し、その穿孔にボルト２０を螺入して、嵌入溝に差し込まれている継手２の鈎状部２ａを、第１の継手１の鈎状部１ａに向けて押圧する。次いで、継手１に穿孔を施して形成した注入口１ｂから、ボルト２０の押圧によって継手間に形成された密閉空間Ｒに、止水材Ｒを注入して充填する。
このような矢板継手部の止水方法を実行することで、水漏れが発生した既設の鋼矢板列であっても好適に止水処理を施すことができ、鋼矢板間の止水を行うことができる。
【００３１】
なお、以上の実施の形態においては、第１の継手１の注入口１ｂや第２の継手２の注入口２ｂまたはボルト２２の貫通口２２ａから、密閉空間Ｒに止水材５を注入したり高圧水を噴射したりするとしたが、本発明はこれに限定されるものではなく、鋼矢板１０上端側の密閉空間Ｒの上方からも、密閉空間Ｒ内に止水材５を注入したり高圧水を噴射したりしてもよい。
【００３２】
また、本発明の技術は鋼矢板に限定されるものではなく、本発明を適用できる継手を有する矢板であれば、その矢板の継手を嵌め合わせた矢板継手部の止水を図ることもできる。
【００３３】
また、その他、具体的な細部構造等についても適宜に変更可能であることは勿論である。
【符号の説明】
【００３４】
１      第１の継手
１ａ    鈎状部
１ｂ    注入口
２      第２の継手
２ａ    鈎状部
２ｂ    注入口
３      矢板本体
３ａ    突起部
５      止水材
１０    鋼矢板
１２    矢板継手部
２０    ボルト（押圧部材）
２２    ボルト（押圧部材）
２２ａ  貫通口
３０    ノズル
Ｒ      密閉空間
【図１】
2014037699.tif 000003
【図２】
2014037699.tif 000004
【図３】
2014037699.tif 000005
【図４】
2014037699.tif 000006
【図５】
2014037699.tif 000007
【図６】
2014037699.tif 000008
【図７】
2014037699.tif 000009
【図８】
2014037699.tif 000010
【図９】
2014037699.tif 000011
【図１０】
2014037699.tif 000012